(57)【特許請求の範囲】
【請求項１】
外部空間への放出用内容物が収納されて肩斜面を有する容器との結合機能を備えて周方向の一部に欠落範囲を有する内側筒状部と、当該欠落範囲に対応した外周面部分がカバー体取外し用操作部分として作用する外側筒状部と、当該内側筒状部および当該外側筒状部の間に形成されてそれぞれの筒状部と一体の天井部とからなり、かつ、容器内容物を外部空間に放出する容器使用時にも当該容器と当該内側筒状部との結合状態が維持される容器取付け用カバー体において、
前記内側筒状部は、
前記欠落範囲の端側部分に、前記外側筒状部に向き、当該外側筒状部から分離して前記天井部に連結された形の外向きリブを有し、
前記外側筒状部は、
前記カバー体取外し用操作部分への操作にともなって前記容器の肩斜面に案内されながら内側に移動する当該カバー体取外し用操作部分の側の下端部を備え、
前記操作の際に前記外向きリブと当接する凸状部が形成されていない形状の内周面を有している、
ことを特徴とする容器取付け用カバー体。
【請求項２】
前記内側筒状部は、
前記欠落範囲の両端である各欠落端部から周方向に続く容器結合用の第１，第２の短尺部分と、
当該第１，第２の各短尺部分の当該欠落範囲から遠い方の短尺端部のそれぞれから当該周方向に続く第１，第２の切欠部分と、
当該第１，第２の各切欠部分の当該欠落範囲から遠い方の切欠端部のそれぞれから当該周方向に続く容器結合用の長尺部分と、
を有している、
ことを特徴とする請求項１記載の容器取付け用カバー体。
【請求項３】
前記短尺端部は、
前記カバー体取外し用操作部分への操作に基づいて前記外側筒状部の方に変位する位置に設定されている、
ことを特徴とする請求項２記載の容器取付け用カバー体。
【請求項４】
請求項１乃至３のいずれかに記載の容器取付け用カバー体を備えている、
ことを特徴とするエアゾール式製品。
【請求項５】
請求項１乃至３のいずれかに記載の容器取付け用カバー体を備えている、
ことを特徴とするポンプ式製品。
【発明の詳細な説明】
【０００１】
【発明の属する技術分野】
本発明は、包装用容器（各種内容物を収納したエアゾール式・ポンプ式の容器など）と結合する内側筒状部、およびこれと一体の外側筒状部を備えた容器取付用カバー体に関する。
【０００２】
特に、内容物を使いきった後に包装容器とカバー体とを分別廃棄したり再使用する際には、もともと容器側と強く結合しているカバー体を所定の取り外し操作によって当該容器から比較的容易に取り外せるようにし、かつ、容器使用者が無意識にこの取り外し操作（と同様の操作）に着手した際には、カバー体が容器から外れにくいようにしたものである。
【０００３】
【従来の技術】
一般に、容器上面（開口部側）にカバー体を嵌合させた形式のエアゾール容器やポンプ容器などでは、使用中にカバー体が容器の開口部から外れることがないように両者を強く結合している。
【０００４】
内容物を使いきった後の容器とカバー体とを分別処理できるようにしたものとしては、例えば特開平１０−１６７３５６号公報や特開２０００−２５８０４号公報で開示のものがある。
【０００５】
これらの容器取付用カバー体は、
・周面部分の一部が欠落した形で容器に嵌合する内側筒状部と、これと一体の外側筒状部とを備え、
・少なくともこの欠落範囲の両端側に、内側筒状部と外側筒状部とを接続するリブをそれぞれ設け、
・外側筒状部の外周面の当該欠落範囲と対応する部分を押圧し、当該外側筒状部の下端部が容器本体の肩斜面に案内される態様で内側筒状部を変形させることにより、容器と内側筒状部との嵌合状態を解除している。
【０００６】
【発明が解決しようとする課題】
上記容器取付用カバー体は、通常の製品段階では容器に強く結合し、利用者などが外側筒状部の所定部分（欠落範囲対応部分）を内側に押圧すると容器から外れるため、容器の中身を使い切ったときの分別処理や再利用に適している。
【０００７】
しかしながら、例えば内容物を噴霧している利用者が無意識に上記所定部分を内側に押圧するとカバー体が容器から外れてしまう可能性があった。
【０００８】
本発明は、このような利点を持つ容器取付用カバー体の、
(1) 分別操作時の上記所定部分（外側筒状部）に対する押圧力のどの程度が内側筒状部まで伝わるか、換言すれば当該押圧力の中でもっぱら外側筒状部を変形させることに作用する（内側筒状部の変形には作用しない）のはどの程度か
(2) この押圧力を受けたときの内側筒状部の変形のしやすさ
(3) 分別操作時に容器本体の肩斜面に案内される外側筒状部の変形のいわば自由度
(4) 利用者が意識してカバー体を外すときと無意識にカバー体に触れるときの押圧時間や押圧力の差（前者≫後者）
などの点を考慮した各種態様のリブや切欠部を形成した内側筒状部を試作した結果に基づくものである。
【０００９】
その目的は、容器取付用カバー体と容器との結合の程度を特に減少させずに、内容物使用済後の分別廃棄などに際して利用者が意識的にカバー体を押圧するときには当該カバー体の（容器からの）取外し操作をより簡単で確実なものにすることである。
【００１０】
また、利用者が無意識にカバー体に触って押圧したときには、その程度の時間や力ではカバー体が容器から外れないようにすることである。
【００１１】
本発明は、この課題を次のようにして解決する。
（１）図２，図６，図７に対応：
外部空間への放出用内容物が収納されて肩斜面を有する容器（例えば後述の金属製容器４）との結合機能を備えて周方向の一部に欠落範囲（例えば後述の欠落範囲２２ａ，６２ａ）を有する内側筒状部（例えば後述の内側筒状部２２，６２）と、当該欠落範囲に対応した外周面部分がカバー体取外し用操作部分（例えば後述の突状操作部２１ｂ，６１ｂ）として作用する外側筒状部（例えば後述の外側筒状部２１，６１）と、当該内側筒状部および当該外側筒状部の間に形成されてそれぞれの筒状部と一体の天井部（例えば後述の天井板２３，６３）とからなり、かつ、容器内容物を外部空間に放出する容器使用時にも当該容器と当該内側筒状部との結合状態が維持される容器取付け用カバー体（例えば後述のプラスチックカバー体２，６）において、
前記内側筒状部は、
前記欠落範囲の端側部分に、前記外側筒状部に向き、当該外側筒状部から分離して前記天井部に連結された形の外向きリブ（例えば後述の外向きリブ２２ｂ，６２ｂ）を有し、
前記外側筒状部は、
前記カバー体取外し用操作部分への操作にともなって前記容器の肩斜面（例えば後述の肩斜面４１ａ）に案内されながら内側に移動する当該カバー体取外し用操作部分の側の下端部（例えば後述の下端部２１ａ，６１ａ）を備え、
前記操作の際に前記外向きリブと当接する凸状部が形成されていない形状の内周面を有している、
ものを用いる。
（２）図６および図７に対応：
上記（１）において、前記内側筒状部は、
前記欠落範囲の両端である各欠落端部（例えば後述の端部６２ｊ）から周方向に続く容器結合用の第１，第２の短尺部分（例えば後述の短尺部分６２ｉ）と、
当該第１，第２の各短尺部分の当該欠落範囲から遠い方の短尺端部（例えば後述の端部６２ｋ）のそれぞれから当該周方向に続く第１，第２の切欠部分（例えば後述の切欠部６２ｆ）と、
当該第１，第２の各切欠部分の当該欠落範囲から遠い方の切欠端部（例えば後述の端部６２ｈ）のそれぞれから当該周方向に続く容器結合用の長尺部分（例えば後述の長尺部分６２ｇ）と、を有しているものを用いる。
（３）上記（２）において、前記短尺端部は、
前記カバー体取外し用操作部分への操作に基づいて前記外側筒状部の方に変位する位置に設定されているものを用いる。
【００１３】
本発明は上述のように、容器と結合する内側筒状部およびこれと一体の外側筒状部からなる合成樹脂製の容器取付用カバー体の、内側筒状部の端側部分（欠落範囲の端部分）に、外向きリブを、それが外側筒状部に連結しない状態で形成している。
【００１４】
また、内側筒状部に切欠部分を形成し、この切欠部分によって生成される壁状部分の少なくとも切欠部分側端部と容器側との間の結合の程度がカバー体取り外し操作の際に弱まるようにしている。
【００１５】
また、利用者が外側筒状部の操作部を意識的に押圧して容器取付用カバー体と容器とを分離しようとする場合には、このときの所定の押圧力や押圧時間に基づく外向きリブの変位が内側筒状部に作用してこれを変化させ、容器取付用のカバー体と容器との結合が解除される。
【００１６】
また、利用者の意識的な容器取付用カバー体の分離動作にともなう外向きリブの変位が内側筒状部の切欠部分側端部にも作用して、この部分を外側筒状部の方に変化させ、これをとっかかりにして容器取付用のカバー体と容器との結合が解除される。
【００１７】
また、外向きリブを形成することにより、内側筒状部の欠落範囲から当該リブと対向する外側筒状部にいたる当該カバー体部分の剛性を大きくし、取外し操作時の外側筒状部に対する押圧力が内側筒状部へ効率的に伝わるようにしている。
【００１８】
また、外向きリブを外側筒状部から分離させることにより、内側筒状部自体の変形の自由度を高め、取外し操作時の押圧力を外側筒状部から受けた内側筒状部自体が変形しやすいようにしている。
【００１９】
また、この分離形態により、後述のように、取外し操作時に容器本体の肩斜面から上方向成分の力を受ける外側筒状部のいわば変形の自由度も高め、この外側筒状部が当該肩斜面にスムーズに案内されるようにしている。
【００２０】
また、このような押圧力の内側筒状部への効率的な伝達や、内側筒状部および外側筒状部それぞれの変形のしやすさが確保される結果、容器取付用カバー体は、その外側筒状部の所定部分（例えば後述の突状操作部２１ｂ）を積極的に押圧したとき、容器から確実に外れる。
【００２１】
また、外向きリブは外側筒状部から分離されているので、例えば利用者が誤って無意識に前述の所定部分に触って押圧した程度の短い時間・小さい押圧力では内側筒状部が本来のカバー体の取外し操作のように変形することはなく、カバー体が容器から外れることはない。
【００２２】
また、外向きリブの個数は任意であり、その形成位置も上記欠落範囲の端側部分の範囲内で任意である。
【００２３】
また、望ましいリブ形態は、後述の実施の形態で示すように、内側筒状部の欠落範囲の周方向中央部と筒状部中心とを結ぶ中心線に対して線対称となる位置に形成した対の外向きリブである。
【００２４】
また、内側筒状部に何個の切欠部分を形成するかは任意である。
【００２５】
また、本発明は、各種材質の容器（例えば金属製，合成樹脂製などの容器）のカバー体を対象にしている。カバー体も合成樹脂製のものに限定されない。例えばアルミニウム，ブリキ，ステンレス，ファイバー，その他の合金などの金属製，ガラス製のものでもよい。
【００２６】
なお、内側筒状部の、容器との結合部分にこの結合力を減じるための変更を加えないことは勿論である。例えば、上記（１）における結合の程度は従前のままである。
【００２７】
【発明の実施の形態】
図１乃至図１０を参照して本発明の実施の形態を説明する。
【００２８】
図１(a) は内向きリブを形成したプラスチック製カバー体の底面図，図１(b) はこのプラスチック製カバー体を金属製のエアゾール容器に嵌合させた状態の断面図をそれぞれ示している。当該断面図は、(a) の破断線Ａ−Ａ′に対応する。
【００２９】
図２(a) は外向きリブを形成したプラスチック製カバー体の底面図，図２(b) はこのプラスチック製カバー体を金属製のエアゾール容器に嵌合させた状態の断面図をそれぞれ示している。当該断面図は、(a) の破断線Ｂ−Ｂ′に対応する。
【００３０】
図３は、図１の嵌合状態のプラスチック製カバー体をエアゾール容器から取り外すときの当該カバー体の状態変化を示している。
【００３１】
図１乃至図３において、
１は内向きリブを形成したプラスチック製カバー体,
１１はプラスチック製カバー体１の外側筒状部，１１ａは当該外側筒状部の内周面に（後述の内側筒状部１２から分離される態様で）形成した内向きリブ，１１ｂは当該外側筒状部の環状の下端部，１１ｃはプラスチック製カバー体１と容器側との嵌合状態を解除するための突状操作部，
１２はプラスチック製カバー体１の内側筒状部, １２ａは当該内側筒状部の周面部分の欠落範囲, １２ｂは当該内側筒状部の周方向端部，１２ｃは容器側と嵌合する突状部，
１３は外側筒状部１１および内側筒状部１２のそれぞれと一体になった環状の天井板，
１４は内側筒状部１２の上方に続く上側筒状部，１４ａは当該上側筒状部の天井側の開口部分，
２は外向きリブを形成したプラスチック製カバー体,
２１はプラスチック製カバー体２の外側筒状部，２１ａは当該外側筒状部の環状の下端部，２１ｂはプラスチック製カバー体１と容器側との嵌合状態を解除するための突状操作部，
２２はプラスチック製カバー体１の内側筒状部, ２２ａは当該内側筒状部の周面部分の欠落範囲, ２２ｂは当該内側筒状部の周方向端部に（外側筒状部２１から分離される態様で）形成した外向きリブ，２２ｃは当該内側筒状部の内周面に形成した容器嵌合用の突状部，２２ｄは周方向端部，２２ｅはリブ２２ｂと外側筒状部２１の内周面との間の隙間，
２３は外側筒状部２１および内側筒状部２２のそれぞれと一体になった環状の天井板，
２４は内側筒状部２２の上方に続く上側筒状部，２４ａは当該上側筒状部の天井側の開口部分，
３はスパウト，３１は当該スパウトの通路部，３２は容器の使用モードを設定するための操作部，３３は当該スパウトと上側筒状部との接続片，
４は金属製のエアゾール容器，４１は容器本体，４１ａは当該容器本体の肩斜面，４２は当該容器本体に固定された金属製のマウンテンキャップ、４３はスパウト３の内容物通路部３１の上流側端部と嵌合したステム，４４は当該肩斜面の上端部分（当該マウンテンキャップのカール部の下側に続く部分）に形成される環状凹部，
をそれぞれ示している。
【００３２】
なお、プラスチック製カバー体１，２の材質は、ポリプロピレン，ポリエチレンなどであり、エアゾール容器４はアルミ缶やブリキ缶などである。
【００３３】
内側筒状部１２，２２の欠落範囲１２ａ，２２ａの中心角度（カバー体の中心と周方向端部１２ｂ，２２ｄのそれぞれとを結ぶ線分間の角度）は３０°〜１００°である。
【００３４】
図１および図２のプラスチック製カバー体１，２は、それぞれの内側筒状部１２，２２の突状部１２ｃ，２２ｃが容器側の環状凹部４４と嵌合した状態になっている。
【００３５】
ここで、スパウト３の操作部３２を押圧すると、当該スパウトは接続片３３をいわば支点にして図面上の反時計方向に回動し、ステム４３もこれと同じ方向に傾く。
【００３６】
このステム４３の傾動により、それまでステムラバーで塞がれていたステム孔部（図示省略）が開いて金属製容器４の内容物が通路部３１を介して外部空間に出力される。
【００３７】
図３に示すように、プラスチック製カバー体付きの容器を分別廃棄するため、当該カバー体の外側筒状部１１，２１の突状操作部１１ｃ，２１ｂをそれぞれ押圧すると、
・その押圧力が、内向きリブ１１ａや外向きリブ２２ｂを介して内側筒状部１２，２２の周方向端部に作用し、
・この作用に基づく内側筒状部１２，２２の変形によって、当該変形部分の突状部１２ｃ，２２ｃと容器側の環状凹部４４との嵌合の程度が小さくなる。
【００３８】
このとき、次の変形動作も生じていると考えられる。
・先ず、外側筒状部１１，２１の当該押圧部分が内側筒状部１２，２２の方に変位して外側筒状部の突状部操作部近辺はフラット状に近づき、
・外側筒状部１１，２１の突状操作部１１ｃ，２１ｂに続く部分は外側方向に変位し、
・この外側筒状部１１，２１の変形に応じて内側筒状部１２，２２も外側方向に変位し、
・当該変形部分の突状部１２ｃ，２２ｃと容器側の環状凹部４４との嵌合の程度が小さくなる。
【００３９】
また、
・外側筒状部１１，２１の、突状操作部１１ｃ，２１ｂの側の下端部１１ｂ，２１ａが容器本体４１の肩斜面４１ａに案内されながら内方に移動し、このとき当該下端部は肩斜面４１からの作用によって上方向成分の力を受け、
・さらには、外側筒状部１１，２１の突状操作部１１ｃ，２１ｂは利用者の押圧操作自体によっても上方向成分の力を受ける。
【００４０】
このように内側筒状部１２，２２が変形したり、外側筒状部１１，２１の突状操作部側が上方向にいわば変位することによって、当該内側筒状部と容器側の環状凹部４４との嵌合が解除されていく。すなわちプラスチック製カバー体１，２を金属製容器４から分離することができる。
【００４１】
ここで、肩斜面４１ａからの上方向成分の力は、プラスチック製カバー体１，２の各リブの次のような剛性化機能により、一段と強いものになっていると考えられる。
【００４２】
すなわち、
・プラスチック製カバー体１の場合、内向きリブ１１ａによって連結された、外側筒状部１１と天井部１３との部分の剛性は、これに続く（当該リブを設けていない）天井板１３と上側筒状部１４との部分のそれよりも大きく、
・プラスチック製カバー体２の場合、外向きリブ２２ｂによって連結された、内側筒状部２２と天井部２３との部分の剛性は、これに続く（当該リブを設けていない）天井板２３と外側筒状部２１との部分のそれよりも大きい。
【００４３】
そのため、いずれのカバー体も、天井板に対して、外側筒状部および内側筒状部（上側筒状部）の一方が他方よりもいわばリジッドな状態となる。
【００４４】
これにより、取外し操作の際、各カバー体の外側筒状部は、肩斜面４１ａに沿ってスムーズに移動して上方向成分の力を効率的に受けることができる。
【００４５】
例えば内向きリブ１１ａを有するプラスチック製カバー体１は、その突状操作部１１ｃが押圧されたとき、当該内向きリブ近辺の天井板１３と外側筒状部１１との部分は元のリジッドな形状を保持し、これに続く天井板１３と上側筒状部１４，内側筒状部１２との境界部分が（下端部１１ｂが上動するように）いくらか変形する。プラスチック製カバー体２も、これと同じように、天井板２３と外側筒状部２１との（外向きリブ２２ｂを有していない）境界部分がいくらか変形する。
【００４６】
このような変形作用も加味されて、外側筒状部１１の突状操作部１１ｃに続く下端部１１ｂの部分が容器本体４１の肩斜面４１ａに沿ってスムーズに移動できるものと考えられる。
【００４７】
図１に示すように、プラスチック製カバー体１のリブ１１ａの先端部は内側筒状部１２の欠落範囲１２ａ（仮想面）から外方に離れている。また、図２に示すようにプラスチック製カバー体２のリブ２２ｂと外側筒状部２１の内周面との間には隙間２２ｅが形成されている。そのため利用者が無意識に突状操作部１１ｃ，２１ｂを押圧した程度ではプラスチック製カバー体１，２は容器本体４１から外れない。
【００４８】
例えば利用者が誤って（無意識に）外側筒状部２１の突状操作部２１ｂを触って押したとしても一般にその時間は短く、また押圧力が小さいので内側筒状部２２が本来のカバー体取り外し操作時のように変形することはなく、したがって実用的にはこの無意識な押圧によりエアゾール容器４の使用中に突状部２２ｃと容器４との結合が解除され、カバー体２が外れることはない。プラスチック製カバー体１も同様である。
【００４９】
図示のように、
・内側筒状部１２の欠落範囲１２ａの周方向中央部と筒状部の中心とを結ぶ中心線上に内向きリブ１１ａを形成する、
・欠落範囲２２ａの周方向中央部と筒状部の中心とを結ぶ中心線上の対称位置に外向きリブ２２ｂを形成する、
と、突状操作部１１ｃ，２１ｂの周方向の両側部分において上述の変形作用や変位作用が対称的にバランスよく生じるので、内側筒状部１２，２２と容器側の環状凹部４４との分離操作をよりスムーズに行なえる。
【００５０】
また、外向きリブ２２ｂの端部を外側筒状部２１と略平行になるようなテーパ面とし、外側筒状部２１の押圧力をリブのテーパ面全体で受けることによってより効率的に内側筒状部２２を外側方向に変位させるようにしてもよい。
【００５１】
図４および図６のカバー体は、それぞれ図１および図２のカバー体の内側筒状部に切欠部を形成したものである。
【００５２】
図４(a) は外側筒状部に内向きリブを設け、内側筒状部に切欠部を形成したプラスチック製カバー体の底面図，図４(b) はこのプラスチック製カバー体を金属製のエアゾール容器に嵌合させた状態の断面図をそれぞれ示している。当該断面図は、(a) の破断線Ｃ−Ｃ′に対応する。
【００５３】
図５は図４の嵌合状態のプラスチック製カバー体をエアゾール容器から取外すときの当該カバー体の状態変化を示している。
【００５４】
図６(a) は内側筒状部の外向きリブと切欠部を形成したプラスチック製カバー体の底面図，図６(b) はこのプラスチック製カバー体を金属製のエアゾール容器に嵌合させた状態の断面図をそれぞれ示している。当該断面図は、(a) の破断線Ｄ−Ｄ′に対応する。
【００５５】
図７は図６の嵌合状態のプラスチック製カバー体をエアゾール容器から取外すときの当該カバー体の状態変化を示している。
【００５６】
図４乃至図７において、
５は内向きリブと切欠部を形成したプラスチック製カバー体，
５１はプラスチック製カバー体５の外側筒状部，５１ａは当該外側筒状部の内周面に（後述の内側筒状部５２から分離される態様で）形成した内向きリブ，５１ｂは当該外側筒状部の環状の下端部，５１ｃはプラスチック製カバー体５と容器側との嵌合状態を解除するための突状操作部，
５２はプラスチック製カバー体５の内側筒状部, ５２ａは当該内側筒状部の周面部分の欠落範囲, ５２ｂは容器側と嵌合する突状部，５２ｃは突状操作部５１ｃ側に二ヶ所形成した切欠部，５２ｄは切欠部５２ｃにより分離された内側筒状部５２の長尺部分，５２ｅは長尺部分の端部，５２ｆは切欠部５２ｃにより分離された内側筒状部５２の短尺部分，５２ｇは短尺部分の突状操作部５１ｃ側端部，５２ｈは短尺部分の切欠部５２ｃ側端部，
５３は外側筒状部５１および内側筒状部５２のそれぞれと一体になった環状の天井板，
５４は内側筒状部５２の上方に続く上側筒状部，
５５は操作釦のガイド部，
６は外向きリブと切欠部を形成したプラスチック製カバー体，
６１はプラスチック製カバー体６の外側筒状部，６１ａは当該外側筒状部の環状の下端部，６１ｂはプラスチック製カバー体６と容器側との嵌合状態を解除するための突状操作部，
６２はプラスチック製カバー体６の内側筒状部, ６２ａは当該内側筒状部の周面部分の欠落範囲, ６２ｂは当該内側筒状部の周方向端部に（外側筒状部６１から分離される態様で）形成した外向きリブ，６２ｃは当該外向きリブに形成した外側筒状部６１と略平行のテーパ面，６２ｄはリブ６２ｂのテーパ面６２ｃと外側筒状部６１との間の隙間，６２ｅは内側筒状部の内周面に形成した容器嵌合用の突状部，６２ｆは突状操作部６１ｂ側に二ヶ所形成した切欠部，６２ｇは切欠部６２ｆにより分離された内側筒状部６２の長尺部分，６２ｈは長尺部分の端部，６２ｉは切欠部６２ｆにより分離された内側筒状部６２の短尺部分，６２ｊは短尺部分の突状操作部６１ｂ側端部，６２ｋは短尺部分の切欠部６２ｆ側端部，
６３は外側筒状部６１および内側筒状部６２のそれぞれと一体になった環状の天井板，
６４は内側筒状部６２の上方に続く上側筒状部，
６５は後述の操作釦７のガイド部，
７は操作釦，７ａは内容物の放出用通路，７ｂは放出口，
をそれぞれ示している。
なお、他の参照番号は図１および図２と同一である。
【００５７】
プラスチック製カバー体５，６の材質は、前述のプラスチック製カバー体１，２と同様に、ポリプロピレン，ポリエチレンなどであり、エアゾール容器４はアルミ缶やブリキ缶などである。
【００５８】
内側筒状部５２，６２の欠落範囲５２ａ，６２ａの中心角度（カバー体の中心と周方向端部５２ｇ，６２ｊのそれぞれとを結ぶ線分間の角度）は３０°〜１００°である。
【００５９】
図４(a) に示すように、プラスチック製カバー体５の内側筒状部５２は、欠落範囲５２ａと切欠部５２ｃによって短尺部分５２ｆと長尺部分５２ｄに分離され、突状操作部５１ｃの周方向中央部分とカバー体５の中心とを結ぶ線を軸に対称形状となっている。
【００６０】
図４(b) に示すように、プラスチック製カバー体５をマウンテンキャップ４２の上側から押込むと、長尺部分５２ｄや短尺部分５２ｆはその弾性力によりマウンテンキャップ４２の外周面に押圧されて一旦外側に押し広げられ、突状部５２ｂは環状凹部４４に嵌合し、プラスチック製カバー体５を容器４に取り付けることができる。
【００６１】
マウンテンキャップ４２の環状凹部４４と嵌合する突状部５２ｂは図１のプラスチックカバー体１に比べて切欠部５２ｃの分だけ少ないが、両者は強く嵌合しているので通常の使用状態ではプラスチック製カバー体５が容器４から外れることはない。
【００６２】
ここで、操作釦７を押圧すると、ステム４３が下動してそれまでステムラバーで塞がれていたステム孔部（図示省略）が開いて容器４の内容物が操作釦の内容物放出用通路７ａを通過して放出口７ｂから外部空間に出力する。
【００６３】
図５に示すように、内容物を使い切った後の分別廃棄時には、プラスチック製カバー体５の突状操作部５１ｃを上内側方向へ押圧すると、
・先ず、外側筒状部５１の当該押圧部が内側筒状部５２の方に変位し、
・これにともなって外側筒状部５１の当該押圧部から周方向に続く（切欠部５２ｃの対向範囲を含む）部分が外側方向に変位し、
・この外側筒状部５１の変形に応じて、当該外側筒状部と一体の内側筒状部５２の切欠部５２ｃ側も外側方向に変位する。
【００６４】
その結果、短尺部分５２ｆの切欠部側端部５２ｈや長尺部分５２ｄの端部５２ｅとこれに対応した容器４側の環状凹部４４との嵌合の程度が小さくなる。
【００６５】
また、
・突状操作部５１ｃ側の下端部５１ｂが容器本体４１の肩斜面４１ａから受ける上方向への作用、
・利用者の上方向への押圧操作、
により、一旦、短尺部分５２ｆの切欠部側端部５２ｈや長尺部分５２ｄの端部５２ｅでの突状部５２ｂと環状凹部４４との嵌合が小さくなると、これをとっかかりとして突状部５２ｂは徐々にマウンテンキャップ４２に乗り上げていき、プラスチック製カバー体５を容器４から分離することができる。
【００６６】
また、内向きリブ５１ａで連結された付近の外側筒状部５１と天井板５３との部分の剛性は、これに続く天井板５３と上側筒状部５４との部分よりも大きく、天井板５３に対して外側筒状部５１の方が上側筒状部５４よりもリジッドな状態なので、突状操作部５１ｃが押圧されたとき、内向きリブ５１ａ近辺の天井板５３と外側筒状部５１との部分はこのリジッドな形状を保持し、これに続く天井板５３と上側筒状部５４，内側筒状部５２との境界部分が（下端部５１ｂが上動するように）いくらか変形する。
【００６７】
このような変形作用も加味されて、取り外し操作の際、カバー体５の外側筒状部５１の下端部５１ｂが容器本体４１の肩斜面４１ａに沿ってスムーズに移動し、上方向成分の力を効率的に受ける。
【００６８】
図６(a) に示すように、プラスチック製カバー体６の内側筒状部６２には、二ヶ所の切欠部６２ｆが形成され、欠落範囲６２ａと切欠部６２ｆによって短尺部分６２ｉと長尺部分６２ｇに分離されている。
【００６９】
また、外向きリブ６２ｂには外側筒状部６１と略平行のテーパ面６２ｃが形成されている。そして、この外向きリブ６２ｂ，欠落範囲６２ａ，切欠部６２ｆなどを形成した内側筒状部６２は、突状操作部６１ｂの周方向中央部分とカバー体６の中心とを結ぶ線を軸に対称となっている。
【００７０】
図６(b) に示すように、プラスチック製カバー体６をマウンテンキャップ４２の上側から押込むと、図４のカバー体５と同様に、長尺部分６２ｇや短尺部分６２ｉの突状部６２ｅが環状凹部４４に嵌合し、プラスチック製カバー体６を容器４に取り付けることができる。
【００７１】
このとき、長尺部分６２ｇや短尺部分６２ｉの突状部６２ｅと容器４の環状凹部４４との結合は充分であり、通常の使用状態でプラスチック製カバー体６が容器４から外れることはない。
【００７２】
図７に示すように、内容物を使い切った後の分別廃棄時には、プラスチック製カバー体６の突状操作部６１ｂを上内側方向へ押圧すると、
・先ず、外側筒状部６１の当該押圧部分が内側筒状部６２の方に変位して、当該外側筒状部の内周面が外向きリブ６２ｂのテーパ面６２ｃに当接し、
・この当接後は、強い当該押圧力が突状操作部６１ｂ・外向きリブ６２ｂを介して内側筒状部６２にも積極的に作用する。
【００７３】
特にこの当接後の突状操作部６１ｂの押圧作用により、
・外側筒状部６１の突状操作部６１ｂ近辺がフラット状へと変形し、
・これにともなって外側筒状部６１の当該押圧部から周方向に続く（切欠部６２ｆの対向範囲を含む）部分が外側方向に変位し、
・この外側筒状部６１の変形に応じて、当該外側筒状部と一体の内側筒状部６２の切欠部６２ｆ側も外側方向に変位する。
【００７４】
その結果、短尺部分６２ｉの切欠部側端部６２ｋや長尺部分６２ｇの端部６２ｈとこれに対応した容器４側の環状凹部４４との嵌合の程度が小さくなる。
【００７５】
また、突状操作部６１ｂ側の下端部６１ａが容器本体４１の肩斜面４１ａから受ける上方向への作用や利用者の上方向への押圧操作などにより、一旦、短尺部分６２ｉの切欠部側端部６２ｋや長尺部分６２ｇの端部６２ｈで突状部６２ｅと環状凹部４４との嵌合が小さくなると、これをとっかかりとして突状部６２ｅは徐々にマウンテンキャップ４２に乗り上げていき、プラスチック製カバー体６を容器４から分離することができる。
【００７６】
また、外向きリブ６２ｂ近くの内側筒状部６２と天井板６３との部分の剛性は、これに続く天井板６３と外側筒状部６１との部分の剛性よりも大きく、天井板６３に対して内側筒状部６２（上側筒状部６４）の方が外側筒状部６１よりもリジッドな状態なので、突状操作部６１ｂが押圧されたとき、外向きリブ６２ｂ近辺の天井板６３と内側筒状部６２との部分はこのリジッドな形状を保持し、これに続く天井板６３と外側筒状部６１との境界部分が（下端部６１ａが上動するように）いくらか変形する。
【００７７】
このような変形作用も加味されて、取り外し操作の際、カバー体６の外側筒状部６１の下端部６１ａが容器本体４１の肩斜面４１ａに沿ってスムーズに移動し、上方向成分の力を効率的に受ける。
【００７８】
また、テーパ面６２ｃは外側筒状部６１と略平行なので、突状操作部６１ｂを押圧したときの外側筒状部６１の変形作用をテーパ面６２ｃ全体で受けることができ、突状部操作部６１ｂの押圧力は効率的に内側筒状部６２を外側方向に変位させる。
【００７９】
なお、内側筒状部と容器側との嵌合の解除に必要な押上荷重として図１０の値を検証したが、内側筒状部１２，２２，５２，６２や上記境界部分の変形作用および外側筒状部１１，２１，５１，６１の上方向への変位作用のそれぞれが当該解除にどの程度関係しているかは明確でない。
【００８０】
図４に示すように、プラスチック製カバー体５のリブ５１ａの先端部は、それぞれ内側筒状部５２の欠落範囲５２ａ（仮想面）から外方に離れている。また、図６に示すように、プラスチック製カバー体２のリブ６２ｂと外側筒状部６１の内周面との間には隙間６２ｄが形成されている。
【００８１】
そのため、前述のように（図１，図２参照）利用者がエアゾール容器４の使用中に無意識に突状操作部５１ｃ，６１ｂを触って押圧したとしてもその程度の時間・力では突状部５２ｂ，６２ｅと容器４との結合が解除されることはなく、プラスチック製カバー体５，６は容器本体４１から外れない。
【００８２】
また、前述のように、
・突状操作部５１ｃの周方向中央部分とカバー体５の中心とを結ぶ中心線を軸に内側筒状部５２の形状が対称となるように、内向きリブ５１ａ，欠落範囲５２ａ，切欠部５２ｃを形成する、
・突状操作部６１ｂの周方向中央部分とカバー体６の中心とを結ぶ中心線を軸に内側筒状部６２の形状が対称となるように、外向きリブ６２ｂ，欠落範囲６２ａ，切欠部６２ｆを形成する、
と、突状操作部５１ｃ，６２ｂの周方向の両側部分において上述の変形作用や変位作用が対称的にバランスよく生じるので、内側筒状部５２，６２と容器側の環状凹部４４との分離操作をよりスムーズに行なえる。
【００８３】
以上の各カバー体はポンプ容器にも用いられ、図１〜図７の各エアゾール容器の場合と同様の動作により当該カバー体を容器本体から取外すことができる。
【００８４】
図８は、プラスチック製またはガラス製のポンプ容器用のプラスチック製カバー体を示しており、内側筒状部や内向きリブなどの構成は図１のプラスチック製カバー体と同様である。
【００８５】
図９は、図８のプラスチック製カバー体をプラスチック製またはガラス製のポンプ容器に取り付けた状態の断面図を示している。
【００８６】
図８および図９において、
８はポンプ容器用のプラスチック製カバー体，
８１は外側筒状部，８１ａは内向きリブ，８１ｂは環状の下端部，８１ｃは容器側との嵌合状態を解除するための突状操作部，
８２は内側筒状部，８２ａは周面部分の欠落範囲，８２ｂは周方向端部側の外周面，８２ｃは容器側と嵌合する突状部，
９はプラスチック製またはガラス製のポンプ容器本体，９１は当該容器本体の肩斜面，９２は当該肩斜面の上端側の筒状開口部，９２ａは（内側筒状部の突状部８２ｃに対応する態様で）当該筒状開口部の外周面に形成したカバー体取付用の環状段部，
１０はポンプ機構，
１０１はノズルを有する放出操作部，
１０２は当該放出部と嵌合した中間筒状部，
１０３は当該中間筒状部と嵌合したステム，１０３ａは当該ステムに形成した内容物通過用の孔部，１０３ｂは当該ステムの中間鍔部，
１０４は当該孔部に作用する下流弁，
１０５はステム１０３を上方に付勢するスプリング，
１０６はボール状の上流弁，
１０７はステム１０３や各弁などを収納保持するハウジング，１０７ａは当該ハウジングの鍔部，１０７ｂは当該ハウジングの外周面に形成した嵌合用の環状凸状部，１０７ｃは当該鍔部の下面部分に設けた環状シール部，
１０８は当該ハウジングと嵌合するとともに放出操作部１０１および中間筒状部１０２の上下動を案内し、かつ当該ハウジングの鍔部１０７ａとの間にカバー体８の開口側部分を挟み込む筒状ガイド部，１０８ａは当該筒状ガイド部のスカート部分，１０８ｂは当該スカート部分の内周面に形成した（ハウジング１０７の環状凸状部１０７ｂに対応の）嵌合用の環状凹状部，
１０９はハウジング１０７に取り付けた内容物通過用のパイプ，
１１０はカバー体８とポンプ機構１０との一体物からなるポンプユニット，
をそれぞれ示している。
【００８７】
カバー体８の材質はポリプロピレン，ポリエチレンなどであり、プラスチック製のポンプ容器本体９の材質はＰＥＴなどである。なお、カバー体８およびポンプ容器本体９がともにプラスチック製であっても、ポリプロピレンとＰＥＴとの組み合わせなどの場合には分別廃棄が望ましい。
【００８８】
このように、ポンプ機構１０は１０１〜１０９の各要素からなり、カバー体８の開口側部分がポンプ機構１０の鍔部１０７ａとスカート部分１０８ａとにより挟持された一体物であって、ポンプユニット１１０の部分が取外し対象の単位となる。
【００８９】
この一体構造のポンプユニット１１０におけるカバー体８は、内側筒状部８２の突状部８２ｃがポンプ容器本体９の環状段部９２ａと嵌合している。
【００９０】
取外し操作時のカバー体８には、図１のエアゾール容器のカバー体１と同じように、そのときの操作力が、外側筒状部８１の内向きリブ８１ａなどを介して内側筒状部８２に作用する。
【００９１】
また、カバー体１の場合と同様に、容器本体９の肩斜面９１からの押し上げ力がカバー体８の外側筒状部８１に作用する。一方、内向きリブ１１ａの下端部は内側筒状部１２のそれと略同位置であり、これらのリブが肩斜面９１に当接することはない。
【００９２】
なお、ポンプ機構１０の構造自体およびその内容物放出動作は従来のものと同じである。
【００９３】
図９のポンプ容器は、放出操作部１０１を押し下げて内容物をノズルから放出する使用モードのときを示している。
【００９４】
このとき、
・放出操作部１０１，中間筒状部１０２およびステム１０３の集合体はスプリング１０５の付勢力に抗する形で下動し、
・上流弁１０６は閉状態となり、
・下流弁１０４は、上流弁１０６との間の内容物の圧力によりステム１０３に対して上動し、かつ中間筒状部１０２に当接した状態、すなわちステム１０３の孔部１０３ａが開いた状態になっている。
【００９５】
下流弁１０４と上流弁１０６との間に収納されていた内容物はステム１０３の下動にともなってその圧力が高くなるので、開状態の孔部１０３ａ，ステム１０３（の内部空間），中間筒状部１０２を介して放出操作部１０１のノズルから外部空間に放出される。
【００９６】
一方、内容物の放出後に、放出操作部１０１のそれまでの押し下げ動作を止めると、
・放出操作部１０１，中間筒状部１０２およびステム１０３の集合体はスプリング１０５の付勢力により図示の位置から上動し、
・下流弁１０４はその内側下端部がステム１０３の中間鍔部１０３ｂと当接する、すなわち孔部１０３ａが略閉状態になるまでは上動せず、
・この当接後はステム１０３などと下流弁１０４が上方向に連動し、
・この下流弁１０４の閉状態におけるステム１０３の上動にともなって、下流弁１０４と上流弁１０６との間の閉じた空間域の圧力が低下し、
・この空間域の圧力低下にともなって、上流弁１０６が開状態（下流弁１０４は閉状態のまま）になる。
【００９７】
その結果、容器本体９の内容物がパイプ１０９および上流弁１０６を介して上記空間域に流入する。そして、上流弁１０６は、上記空間域の内容物の圧力と容器本体９のそれとがバランスした時点で閉状態となる。
【００９８】
最終的な非使用モードでは、
・下流弁１０４および上流弁１０６はともに閉じ、
・下流弁１０４は、ステム１０３の中間鍔部１０３ｂおよび筒状ガイド部１０８の下端部のそれぞれと当接して両者にいわば挟まれた状態で停止し、
・ステム１０３などの上記集合体は、このステムが筒状ガイド部１０８に当該した状態で停止している。
【００９９】
この非使用モードのとき、図９とは違って、中間筒状部１０２の下端部が下流弁１０４の上面から離れており、その後の放出操作部１０１の押し下げ操作時にはこの離間分だけステム１０３が下流弁１０４に対して下動する。これにより、孔部１０３ａが図９のように開状態となる。
【０１００】
なお、内容物放出用の操作部を前述の各カバー体に対してどのように設定するかは任意であり、回動タイプの操作部（スパウト），当該カバー体から完全に分離された上下動タイプの操作釦やノズルを用いてもよい。
【０１０１】
図１０は、本発明のカバー体および従来のカバー体を容器から取り外すときに必要な押し上げ荷重（最小値）を示している。
【０１０２】
図１０の検証対象物は、表の下側に示したような、
・図１の内向きリブ１１ａを有するプラスチック製カバー体１（本発明１）
・図２の外向きリブ２２ｂを有するプラスチック製カバー体２（本発明２）
・図６の外向きリブ６２ｂと切欠部６２ｆを有するプラスチック製カバー体６（本発明３）
・内側筒状部の内周面の周方向全体にわたって容器嵌合用の突状部を同じ態様で形成し、かつ内側筒状部の周方向端部のそれぞれと外側筒状部との間に一対のリブを形成したプラスチック製カバー体（従来例）
の４例である。
【０１０３】
この検証では、金属製容器に取り付けた各プラスチック製カバー体の外側筒状部の突状操作部対する押上荷重を機械的に増やしていって当該カバー体が外れたときの値を求めている。ここでは、上記４形式のプラスチック製カバー体付きの金属製容器をそれぞれ１０個用いた。
【０１０４】
なお、４例のプラスチック製カバー体とも、全体の材質、リブを除く部分の形状は同一である。
【０１０５】
図１０の検証の場合、
・本発明１の取外し押上荷重の平均値は６２．４Ｎ（ニュートン），最小値は５４．３Ｎ
・本発明２の取外し押上荷重の平均値は６６．９Ｎ，最小値は５６．８Ｎ
・本発明３の取外し押上荷重の平均値は５８．７Ｎ，最小値は５２．３Ｎ
・従来例の取外し押上荷重の平均値は８３．２Ｎ
である。
【０１０６】
これからも、本発明の容器取付用カバー体は、金属製容器側との嵌合力（この検証物の場合、例えば略４０Ｎ相当の嵌合力を確保できれば実用的といえる）を十分に保持しつつ、その分別操作時には当該嵌合状態の容器とカバー体とをより確実に分別できることがわかる。
【０１０７】
なお、図４のプラスチック製カバー体５に対する取外し押上荷重は、図６のプラスチック製カバー体６の場合（上記本発明３の場合）のそれよりも確実に小さな値となる。
【０１０８】
図１，図２，図４および図６のそれぞれに対応の各カバー体を取り付けたポンプ容器の場合にも、当該カバー体およびポンプ容器本体が図１〜図７のエアゾール容器と同様の態様で嵌合しており、当該ポンプ容器のそれぞれに対するカバー体の取外し押上荷重（最小値）も図１０と同一傾向を示す。
【０１０９】
【発明の効果】
本発明は、このように、容器取付用カバー体（容器と結合する内側筒状部およびこれと一体の外側筒状部）の所定部分に、内向き，外向きの各リブをそれぞれが筒状部間に連結されない態様で形成している。
【０１１０】
また、内側筒状部に、間欠部を、所定のカバー取り外し操作の際に欠落範囲とこの間欠部によって形成される内側筒状部の間欠部側端部が外側筒状部側に変化するような位置に形成している。
【０１１１】
これにより、このカバー体と容器との結合の程度は従前のままで、当該カバー体の外側筒状部の取外し用操作部を意識的に強く、また長く押圧した場合には、内向きリブや外向きリブが内側筒状部や内側筒状部の間欠部側端部に作用してこれを変形させ、この部分と容器との結合の程度を弱めて当該カバー体と容器との結合状態の解除を確実にし、カバー体を容器から取り外す再の作業負担の低減化を図ることができる。
【０１１２】
そのため、容器取付用カバー体を取り付けた容器の使用時の利便性を何ら損なうことなしに、当該容器などの分別廃棄や再利用に際しての作業の効率化を図ることができる。
【０１１３】
一方、エアゾール容器やポンプ容器の使用者が無意識に当該所定部分の外周面を押圧する場合（本来の取外し操作に比べて、一般的にその押圧力は小さく、その押圧時間も短い）には、外側筒状部の所定部分を押圧してから内向きリブや外向きリブが内側筒状部を変位させるまでの時間遅れに基づき、容器使用中の利用者の無意識な（取り外し操作）でカバー体が容器から外れないようにすることができる。
【図面の簡単な説明】
【図１】本発明の、内向きリブを形成したプラスチック製カバー体を示す説明図である。(a) はこのカバー体の底面図，(b) はこのカバー体を金属製容器に嵌合させた状態の破断線Ａ−Ａ′に対応する断面図をそれぞれ示している。
【図２】本発明の、外向きリブを形成したプラスチック製カバー体を示す説明図である。(a) は底面図，(b) はこのカバー体をエアゾール容器に嵌合させた状態の断面図をそれぞれ示している。当該断面図は、(a) の破断線Ｂ−Ｂ′に対応する。
【図３】本発明の、図１のプラスチック製カバー体を金属製容器から取り外すときの様子を示す説明図である。
【図４】本発明の、内向きリブと切欠部を形成したプラスチック製カバー体の説明図であり、(a) は底面図，(b) はこのカバー体をエアゾール容器に嵌合させた状態の断面図をそれぞれ示している。当該断面図は、(a) の破断線Ｃ−Ｃ′に対応する。
【図５】本発明の、図４のプラスチック製カバー体をエアゾール容器から取り外すときの様子を示す説明図である。
【図６】本発明の、外向きリブと切欠部を形成したプラスチック製カバー体の説明図であり、(a) は底面図，(b) はこのカバー体をエアゾール容器に嵌合させた状態の断面図をそれぞれ示している。当該断面図は(a) の破断線Ｄ−Ｄ′に対応する。
【図７】本発明の、図６のプラスチック製カバー体をエアゾール容器から取り外すときの様子を示す説明図である。
【図８】本発明の、プラスチック製またはガラス製のポンプ容器用のプラスチック製カバー体を示す説明図である。
【図９】本発明の、プラスチック製カバー体をプラスチック製またはガラス製の容器に取り付けた状態の断面図を示している。
【図１０】本発明のプラスチック製カバー体および従来のプラスチック製カバーをエアゾール容器から取り外すときに必要な押し上げ荷重（最小値）を示している。
【符号の説明】
１：内向きリブを形成したプラスチック製カバー体
１１：外側筒状部
１１ａ：内向きリブ
１１ｂ：環状の下端部
１１ｃ：容器側との嵌合状態を解除するための突状操作部
１２：内側筒状部
１２ａ：周面部分の欠落範囲
１２ｂ：周方向端部
１２ｃ：容器側と嵌合する突状部
１３：環状の天井板
１４：上側筒状部
１４ａ：開口部分
２：外向きリブを形成したプラスチック製カバー体
２１：外側筒状部
２１ａ：環状の下端部
２１ｂ：容器側との嵌合状態を解除するための突状操作部
２２：内側筒状部
２２ａ：周面部分の欠落範囲
２２ｂ：外向きリブ
２２ｃ：容器側と嵌合する突状部
２２ｄ：周方向端部
２２ｅ：隙間
２３：環状の天井板
２４：上側筒状部
２４ａ：開口部分
３：スパウト
３１：通路部
３２：使用モード設定用の操作部
３３：上側筒状部との接続片
４：金属製容器
４１：容器本体
４１ａ：肩斜面
４２：金属製のマウンテンキャップ
４３：ステム
４４：嵌合用の環状凹部
５：内向きリブと切欠部を形成したプラスチック製カバー体
５１：外側筒状部
５１ａ：内向きリブ
５１ｂ：環状の下端部
５１ｃ：容器側との嵌合状態を解除するための突状操作部
５２：内側筒状部
５２ａ：周面部分の欠落範囲
５２ｂ：容器側と嵌合する突状部
５２ｃ：切欠部
５２ｄ：内側筒状部５２の長尺部分
５２ｅ：長尺部分の端部
５２ｆ：内側筒状部５２の短尺部分
５２ｇ：短尺部分の突状操作部５１ｃ側端部
５２ｈ：短尺部分の切欠部５２ｃ側端部
５３：環状の天井板
５４：上側筒状部
５５：操作釦のガイド部
６：外向きリブと切欠部を形成したプラスチック製カバー体
６１：外側筒状部
６１ａ：環状の下端部
６１ｂ：容器側との嵌合状態を解除するための突状操作部
６２：内側筒状部
６２ａ：周面部分の欠落範囲
６２ｂ：外向きリブ
６２ｃ：外向きリブに形成したテーパ面
６２ｄ：テーパ面６２ｃと外側筒状部６１との間の隙間
６２ｅ：容器側と嵌合する突状部
６２ｆ：切欠部
６２ｇ：内側筒状部６２の長尺部分
６２ｈ：長尺部分の端部
６２ｉ：内側筒状部６２の短尺部分
６２ｊ：短尺部分の突状操作部６１ｂ側端部
６２ｋ：短尺部分の切欠部６２ｆ側端部
６３：環状の天井板
６４：上側筒状部
６５：操作釦のガイド部
７：操作釦
７ａ：内容物の放出用通路
７ｂ：放出口
８：ポンプ容器用のプラスチック製カバー体
８１：外側筒状部
８１ａ：内向きリブ
８１ｂ：環状の下端部
８１ｃ：突状操作部
８２：内側筒状部
８２ａ：欠落範囲
８２ｂ：周方向端部側の外周面
８２ｃ：突状部
９：プラスチック製またはガラス製のポンプ容器本体
９１：肩斜面
９２：上端側の筒状開口部
９２ａ：カバー体取付用の環状段部
１０：ポンプ機構
１０１：ノズルを有する放出操作部
１０２：中間筒状部
１０３：ステム
１０３ａ：内容物通過用の孔部
１０３ｂ：中間鍔部
１０４：下流弁
１０５：スプリング
１０６：上流弁
１０７：ハウジング
１０７ａ：鍔部
１０７ｂ：環状凸状部
１０７ｃ：環状シール部
１０８：筒状ガイド部
１０８ａ：スカート部分
１０８ｂ：嵌合用の環状凹状部
１０９：内容物通過用のパイプ
１１０：ポンプユニット
【図１】
0004524975.tif 000002
【図２】
0004524975.tif 000003
【図３】
0004524975.tif 000004
【図４】
0004524975.tif 000005
【図５】
0004524975.tif 000006
【図６】
0004524975.tif 000007
【図７】
0004524975.tif 000008
【図８】
0004524975.tif 000009
【図９】
0004524975.tif 000010
【図１０】
0004524975.tif 000011